(57)【要約】【課題】  本発明は、トリム調整する際の操作力を小さくし、ノズルを、例えば、下向きへ２段階の角度で向ける小型水上艇のトリム調整装置を提供する。【解決手段】  トリム調整装置２４では、ノズル駆動機構３２は、操作手段のトリム操作レバーに引きケーブル３１を介してレバー部材５１を連結し、レバー部材５１に係合する係合部６７を備えたカム部材６３を回転自在に配置し、係合部６７に係合する逆転防止爪部材を配置し、カム部材６３に一端（接触端部）１１４が当接するリンク部材５２を配置し、リンク部材５２の他端（連結部）１１５にノズル（ステアリングノズル）２３を接続した。【選択図】      図２
2006281897.tif 000002
【特許請求の範囲】
【請求項１】
艇体内に配置したジェット推進機の後方にジェット水を後方へ噴射するノズルを配置し、ノズルに上向き又は下向きへ作動させるノズル駆動機構を連結し、ノズル駆動機構にハンドルに配置した操作手段を連結した小型水上艇のトリム調整装置において、
前記ノズル駆動機構は、操作手段のトリム操作レバーにレバー部材を連結し、レバー部材に係合する係合部を備えたカム部材を回転自在に配置し、係合部に係合する逆転防止爪部材を配置し、カム部材に一端が当接するリンク部材を配置し、リンク部材の他端に前記ノズルを接続したことを特徴とする小型水上艇のトリム調整装置。
【請求項２】
前記カム部材のカム本体は、リンク部材と接触し、ノズルの上下の向きを決める複数の接触部を持ち、ノズルを上向きにする上接触部とノズルを下向きにする下接触部の間に、常にノズルをストレートに向かせるストレート接触部を形成したことを特徴とする請求項１記載の小型水上艇のトリム調整装置。
【発明の詳細な説明】
【技術分野】
【０００１】
本発明は、ジェット水を噴射するノズルの向きを上方又は下方へ向ける小型水上艇のトリム調整装置に関するものである。
【背景技術】
【０００２】
従来の小型水上艇のトリム調整装置には、ハンドルに配置した操作部を操作し、電動でノズルの方向を変えるものがある。
また、ハンドルに配置した操作部を操作し、操作部に接続したケーブルを引くことで、ノズルの方向を変える技術も知られている（例えば、特許文献１参照。）。
【０００３】
【特許文献１】特許第３３９７８５６号公報
【０００４】
特許文献１の基本構成を簡単に説明する。
従来のジェット推進艇のトリム調整装置は、操作ハンドル２に配置した外管２２を手で握って回動させ、操作ケーブル６０，６０の一方を引くと、変換器３の回転板３２が回動し、操作ケーブル３０を押し引きするので、水噴射口５を斜め上向き又は斜め下向きへ向けるように操作することができるというものである。
【０００５】
しかし、特許文献１のジェット推進艇のトリム調整装置では、操作ハンドル２に配置した外管２２を手で握って回動させる際に、握力を大きくしないと手が滑ることがあり、強く握る必要がある。特に、運転中に操作すると、噴射しているジェット水の圧力に抗して、水噴射口５を斜め上向き又は斜め下向きへ向けるように操作することとなり、外管２２を強く握りながら、強い力で回す必要があり、操作し難い。
【０００６】
また、特許文献１のトリム調整装置では、操作ハンドル２のハウジング７に形成した切り込み部７１，７３に対応した角度だけ水噴射口５は斜め上向き又は斜め下向きへ向くが、それ以外の角度、例えば、従来よりさらに下向きへ向けることはできない。
【発明の開示】
【発明が解決しようとする課題】
【０００７】
本発明は、トリム調整する際の操作力を小さくし、ノズルを、例えば、下向きへ２段階の角度で向ける小型水上艇のトリム調整装置を提供することを課題とする。
【課題を解決するための手段】
【０００８】
請求項１に係る発明は、艇体内に配置したジェット推進機の後方にジェット水を後方へ噴射するノズルを配置し、ノズルに上向き又は下向きへ作動させるノズル駆動機構を連結し、ノズル駆動機構にハンドルに配置した操作手段を連結した小型水上艇のトリム調整装置において、ノズル駆動機構は、操作手段のトリム操作レバーにレバー部材を連結し、レバー部材に係合する係合部を備えたカム部材を回転自在に配置し、係合部に係合する逆転防止爪部材を配置し、カム部材に一端が当接するリンク部材を配置し、リンク部材の他端にノズルを接続したことを特徴とする。
【０００９】
トリム調整装置では、手でトリム操作レバーを握ると、レバー部材を介してカム部材は所定の角度だけ回動しながらリンク部材を回動するので、リンク部材に接続したノズルを斜め上向き又は斜め下向きへ向けることができる。
【００１０】
請求項２に係る発明では、カム部材のカム本体は、リンク部材と接触し、ノズルの上下の向きを決める複数の接触部を持ち、ノズルを上向きにする上接触部とノズルを下向きにする下接触部の間に、常にノズルをストレートに向かせるストレート接触部を形成したことを特徴とする。
【発明の効果】
【００１１】
請求項１に係る発明では、ノズル駆動機構は、操作手段のトリム操作レバーにレバー部材を連結し、レバー部材に係合する係合部を備えたカム部材を回転自在に配置し、係合部に係合する逆転防止爪部材を配置し、カム部材に一端が当接するリンク部材を配置し、リンク部材の他端にノズルを接続したので、操作手段のトリム操作レバーを握るだけで、トリム操作レバー、レバー部材、カム部材及びリンク部材によって、手で操作する力が小さくても、ジェット水をノズルから噴射させた走行時にジェット水の圧力に抗してノズルを斜め上向き又は斜め下向きへ向けることができ、結果的に、小さな力で小型水上艇をトリム調整することができる。従って、小型水上艇をトリム調整する際の操作力を小さくすることができるという利点がある。
【００１２】
また、ノズル駆動機構は、操作手段のトリム操作レバーにレバー部材を連結し、レバー部材に係合する係合部を備えたカム部材を回転自在に配置し、係合部に係合する逆転防止爪部材を配置し、カム部材に一端が当接するリンク部材を配置し、リンク部材の他端にノズルを接続したので、カム部材によってリンク部材を２段階に回動し、ノズルを第１段階の下向きと、第１段階より下向きの第２段階の下向きへ向けることができる。従って、ノズルを下向きへ２段階の角度で向けることができるという利点がある。
【００１３】
請求項２に係る発明では、カム部材のカム本体は、リンク部材と接触し、ノズルの上下の向きを決める複数の接触部を持ち、ノズルを上向きにする上接触部とノズルを下向きにする下接触部の間に、常にノズルをストレートに向かせるストレート接触部を形成したので、トリム調整を上向きから下向きへ、下向きから上向きへのどちらの場合も間にストレートに向く位置があり、トリムの調整を常にゆっくりできる。
【発明を実施するための最良の形態】
【００１４】
本発明を実施するための最良の形態を添付図に基づいて以下に説明する。なお、図面は符号の向きへ見るものとする。
図１は、本発明のトリム調整装置を採用した小型水上艇の側面図である。
小型水上艇１１は、ハル１３とハル１３の上に接合したデッキ１４とで構成した艇体１２と、デッキ１４の略中央に配置したハンドルとしてのステアリングハンドル１５と、このステアリングハンドル１５の後方に設けるとともに、デッキ１４に載せたシート１６と、ハル１３の中央に取付けた燃料タンク１７及びエンジン２１と、このエンジン２１に接続したウォータージェット推進機２２と、ウォータージェット推進機２２の後方に配置したノズルとしてのステアリングノズル２３と、ステアリングノズル２３を含むトリム調整装置２４と、を備える。
【００１５】
トリム調整装置２４は、ステアリングハンドル１５に取付けた操作手段２７と、操作手段２７に連結した引きケーブル３１と、引きケーブル３１に連結したノズル駆動機構３２と、ノズル駆動機構３２に接続した押し引きケーブル３３と、押し引きケーブル３３に接続したステアリングノズル２３と、を備える。３１ａはケーブルアウターを示す。
【００１６】
図２は、本発明のトリム調整装置が備えるステアリングノズルの断面及びノズル駆動機構の内部を示す図である。
ウォータージェット推進機２２は、ジェット水を噴射するもので、ハル１３に形成した凹み２２ａと、凹み２２ａに嵌合したゴム製の連結部材２２ｂと、連結部材２２ｂに連結したゴム製の軸支え部２２ｃと、軸支え部２２ｃを取付けるためにハル１３に形成したカバー２２ｄと、軸支え部２２ｃに軸受け２２ｅを介して嵌合した駆動軸２２ｆと、駆動軸２２ｆに嵌合したインペラ２２ｇと、インペラ２２ｇの外方を覆う円筒状のステータ２２ｈと、ステータ２２ｈに複数のステー２２ｊを介して配置した軸受け部２２ｋと、を備える。
【００１７】
ステアリングノズル２３は、ウォータージェット推進機２２にリング部材４１を上向き方向（矢印ａ１の方向）又は下向き方向（矢印ａ２の方向）に揺動可能に取付け、このリング部材４１にノズル本体４２を左向き方向若しくは右向き方向（矢印ａ３の方向）に揺動可能に取付けたもので、ジェット水の噴射向きを調整する。
【００１８】
リング部材４１は、リング本体４３の左右（図の表裏）に第１受け部４４，４４（図に示していない）をウォータージェット推進機２２に連結するように形成し、上下に第２受け部４５，４６をノズル本体４２に連結するように形成した。Ｃｎはノズル本体４２の中心軸線を示す。
【００１９】
ステアリングノズル２３のノズル本体４２は、ウォータージェット推進機２２の中心軸線ＣＬに対して、リング部材４１を介して上向きへトリム角θｕだけ揺動自在であり、逆に、中心軸線ＣＬに対して、リング部材４１を介して下向きへトリム角θｄだけ揺動自在である。
【００２０】
トリム角θｕは、通常位置であり、例えば、３°に設定し、トリム角θｕの状態を「上」と呼称する。
トリム角θｄは、第１トリム角度β１と第２トリム角度β２を加算したもので、例えば、θｄ＝２×θｕで、θｄを６°に設定し、β１とβ２を共に３°に設定した。トリム角θｄの状態を「下最大」、第１トリム角度β１の状態を「下中間」と呼称する。
ウォータージェット推進機２２の中心軸線ＣＬに対してノズル本体４２の中心軸線Ｃｎが一致する状態を「ストレート」と呼称する。
【００２１】
ノズル駆動機構３２は、ハル１３に取付けたケース部材４７と、ケース部材４７に取付けるカバー（図に示していない。）と、ケース部材４７に配置しかつ操作手段２７（図１参照）に連結したレバー部材５１と、ケース部材４７に配置しかつステアリングノズル２３の第２受け部４５に連結したリンク部材５２と、を備える。具体的には後述する。
【００２２】
図３は、本発明のトリム調整装置に採用した操作手段の斜視図である。
操作手段２７は、ステアリングハンドル１５に支持部材５４を取付け、支持部材５４にトリム操作レバー５６を揺動自在（矢印ａ４の方向）にボルト５７で取付け、トリム操作レバー５６に第１掛止孔５８を引きケーブル３１の第１端部６１を掛止するように形成したもので、トリム操作レバー５６を手Ｍで二点鎖線で示すように握ると、引きケーブル３１の鋼線を引く（矢印ａ５の方向）。
次に、小型水上艇１１のノズル駆動機構３２を具体的に説明する。
【００２３】
図４は、本発明のトリム調整装置に採用したノズル駆動機構の斜視図である。
ノズル駆動機構３２は、具体的には、ケース部材４７の端に引きケーブル３１を嵌めるケーブル嵌合部材６２を取付け、ケース部材４７の中央にカム部材６３を回転自在に配置し、カム部材６３に重ねて回転自在にレバー部材５１をボルト６５で取付けるとともに、レバー部材５１の係合爪部材６６をカム部材６３の係合部６７に係合するように連結し、係合部６７に係合する逆転防止爪部材６８をケース部材４７の端に支点ボルト７１で揺動可能（矢印ｂ１の方向）に取付け、カム部材６３に倣うリンク部材５２をケース部材４７の端に支点ボルト７２で揺動自在（矢印ｂ２の方向）に取付け、リンク部材５２に押し引きケーブル３３の連結部材７３を連結したもので、押し引きケーブル３３を押し（矢印ｂ３の方向）、引き（矢印ｂ４の方向）する。
【００２４】
図５は、本発明のトリム調整装置に採用したノズル駆動機構の分解図である。
ケース部材４７は、中央にカム部材６３及び係合部６７の支点となるボス部７５を有し、ボス部７５にめねじ部７６を形成した。
【００２５】
カム部材６３は、溝カム本体７７を形成し、溝カム本体７７の側面に連ねて係合部６７を形成し、これらの中央にボス部７５に嵌る孔（図に示していない）を開け、係合部６７の側面に凸部７８をレバー部材５１を嵌合するように形成したものである。
係合部６７は、６０°の中心角で第１〜第６歯部８１〜８６を形成した部位である。
溝カム本体７７は、第１〜第６歯部８１〜８６に対応した第１〜第６接触部９１〜９６をそれぞれ連ねて溝状に形成した溝カムである。
第１接触部９１は、溝カム本体７７の中心からの高さが最も高い部位であり、「上」に対応する上接触部である。
第４接触部９４は、溝カム本体７７の中心からの高さが最も低い部位であり、「下最大」に対応する下接触部である。
第２・第６接触部９２，９６はストレート接触部である。
第３〜第５接触部９３〜９５は下接触部である。
【００２６】
レバー部材５１は、本体９７の一方に凸部７８に嵌合する孔（図に示していない）を形成し、中央に第２掛止孔１０２を引きケーブル３１の第２端部１０３を掛止するように形成し、中央に凸部１０４を引張りばね１０５を掛けるように形成し、他方に係合爪部材６６を揺動可能に連結し、係合爪部材６６と本体９７の他方との間にばね１０６を係合爪部材６６に押付け力（矢印ｂ５の方向）を付与するように掛止し、係合爪部材６６に押し端部１０７を、係合部６７を押すように形成した部品である。
なお、レバー部材５１は、カム部材６３の係合部６７を押す構成であるが、係合部６７を押すか、引くかは任意であり、カム部材６３を回転させる構成であればよい。
【００２７】
逆転防止爪部材６８は、平板状で、長方形に形成したもので、先端部１０８を係合部６７の第１〜第６歯部８１〜８６の何れかに当接するすることで、カム部材６３に逆の回転（矢印ｂ６の方向）が生じないようにする。１０９は逆転防止爪部材６８に押付け力（矢印ｂ７の方向）を付与するばねである。
【００２８】
リンク部材５２は、三角形状の板本体１１１を形成し、ケース部材４７に板本体１１１の第１角部に形成した支点部１１２をボルト１１３で揺動自在に取付け、第２角部に一端であるところの接触端部１１４を溝カム本体７７に嵌るように形成し、第３角部に他端であるところの連結部１１５を押し引きケーブル３３の連結部材７３を連結するように形成した部品である。
なお、リンク部材５２では、三角形状の板本体１１１を形成したが、三角形状は一例であり、形状は任意である。例えば、バー材でも可能である。
【００２９】
次に本発明の小型水上艇のトリム調整装置２４の作用を説明する。
図２に示すように、トリム調整装置２４では、ノズル（ステアリングノズル）２３は、「上」の通常位置から順に「上」→「ストレート」→「下中間」→「下最大」→「下中間」→「ストレート」→「上」と作動する。
なお、通常位置を「上」にするか「ストレート」にするかは任意である。
【００３０】
図６は、本発明のトリム調整装置のノズルを上向きへ作動させるときの作用図である。図４、図５を併用して説明する。
小型水上艇１１では、トリム調整装置２４を、通常時「上」に設定することで、ノズルとしてのステアリングノズル２３を上方に向ける。その結果、ステアリングノズル２３を「ストレート」にしたときに比べ、小型水上艇１１の最高速度を速くすることができる。具体的には、小型水上艇１１にエンジン２１とウォータージェット推進機２２を連結する駆動軸を後下がりに搭載するので、ウォータージェット推進機の向きも後下がりとなる。よって、ステアリングノズル２３を上向きの位置（トリム角θｕ）で水が略水平方向に噴射されるようにでき、最高速を速くすることができる。
【００３１】
すなわち、係合部６７の第１歯部８１にレバー部材５１の係合爪部材６６が当接し、かつ、第２歯部８２に逆転防止爪部材６８が掛かり、カム部材６３の第１接触部９１にリンク部材５２が当接すると、ステアリングノズル２３を上向きにするとともに、上向きの状態を保持する。その結果、ジェット水の圧力に抗してノズル（ステアリングノズル）２３を上向き方向である「上」に常時固定するための、高出力なばねや電気による保持力を必要としない。従って、トリム調整装置２４の構造は簡単になる。
【００３２】
図７は、本発明のトリム調整装置のノズルを上向きからジェット推進機に平行なストレートにするときの作用図である。図４、図５を併用して説明する。
図６のノズル（ステアリングノズル）２３を「上」にし、操作手段２７のトリム操作レバー５６を握ると、ノズル駆動機構３２のレバー部材５１が揺動する（矢印ｃ１の方向）のに伴い係合爪部材６６は第１歯部８１を矢印ｃ１のように押してカム部材６３を回転角度６０°だけ回動させるので、図７に示すように、カム部材６３で第２接触部９２までリンク部材５２が矢印ｃ２のように導かれて、押し引きケーブル３３を押し（矢印ｃ３の方向）、ノズル（ステアリングノズル）２３を「ストレート」にする。
【００３３】
また、カム部材６３を回転角度６０°回転させると、逆転防止爪部材６８から第２歯部８２が離れて、第３歯部８３が回転してきて逆転防止爪部材６８の先端部１０８を通過するので、ばね１０９によって第３歯部８３に逆転防止爪部材６８の先端部１０８が当接し、係合部６７の戻り（逆回転）を規制する。
引き続き、ステアリングハンドル１５に配置したトリム操作レバー５６を離すと、ノズル駆動機構３２のレバー部材５１は、回動限Ｂから矢印ｃ４のように揺動して戻り、ばね１０６によって、係合爪部材６６の押し端部１０７が既に回転してきている第２歯部８２に当接する。
【００３４】
つまり、トリム操作レバー５６を握って離すと、ノズル（ステアリングノズル）２３を通常時の「上」から「ストレート」にすることができる。
【００３５】
図８は、本発明のトリム調整装置のノズルを図７のストレートから下向きへ作動させるときの作用図である。図４、図５を併用して説明する。
引き続き、図７のステアリングハンドル１５に配置したトリム操作レバー５６を握ると、レバー部材５１は第２歯部８２を押してカム部材６３を回転角度６０°回転させるので、図８に示すように、カム部材６３で第３接触部９３までリンク部材５２が導かれて、押し引きケーブル３３を押し（矢印ｃ５の方向）、ノズル（ステアリングノズル）２３を「下中間」にする。その際、レバー部材５１の係合爪部材６６は第３歯部８３に当接し、逆転防止爪部材６８は第４歯部８４に当接する。
【００３６】
つまり、トリム操作レバー５６を握って離すと、ノズル（ステアリングノズル）２３を「ストレート」から「下中間」にすることができる。
【００３７】
このように、トリム調整装置２４では、ノズル駆動機構３２は、操作手段２７のトリム操作レバー５６にレバー部材５１を連結し、レバー部材５１に係合する係合部６７を備えたカム部材６３を回転自在に配置し、係合部６７に係合する逆転防止爪部材６８を配置し、カム部材６３に一端（接触端部）１１４が当接するリンク部材５２を配置し、リンク部材５２の他端（連結部）１１５にノズル（ステアリングノズル）２３を接続したので、操作手段２７のトリム操作レバー５６を握るだけで、トリム操作レバー５６、レバー部材５１、カム部材６３及びリンク部材５２によって、ジェット水の圧力に抗してノズル（ステアリングノズル）２３を「下中間」にすることができる。従って、小型水上艇１１のトリム調整の操作を行う際の操作力を小さくすることができる。
【００３８】
図９は、本発明のトリム調整装置のノズルを図８よりさらに下向きへ向けるときの作用図である。図４、図５を併用して説明する。
引き続き、図８のステアリングハンドル１５に配置したトリム操作レバー５６を握ると、レバー部材５１は第３歯部８３を押してカム部材６３を回転角度６０°回転させるので、図９に示すように、カム部材６３で第４接触部９４までリンク部材５２が導かれて、押し引きケーブル３３を押し（矢印ｃ５の方向）、ノズル（ステアリングノズル）２３を「下最大」にする。その際、レバー部材５１の係合爪部材６６は第４歯部８４に当接し、逆転防止爪部材６８は第５歯部８５に当接する。
【００３９】
つまり、トリム操作レバー５６を握って離すと、ノズル（ステアリングノズル）２３を「下中間」から「下最大」にすることができる。
また、トリム調整装置２４では、トリム操作レバー５６、レバー部材５１、カム部材６３及びリンク部材５２を備えるので、トリム操作レバー５６を握るだけで、ジェット水の圧力がより高くなっても高い圧力に抗してノズル（ステアリングノズル）２３を「下最大」にすることができる。従って、小型水上艇１１のトリム調整の操作を行う際の操作力を小さくすることができる。
【００４０】
このように、トリム調整装置２４では、ノズル駆動機構３２は、操作手段２７のトリム操作レバー５６にレバー部材５１を連結し、レバー部材５１に係合する係合部６７を備えたカム部材６３を回転自在に配置し、係合部６７に係合する逆転防止爪部材６８を配置し、カム部材６３に一端（接触端部）１１４が当接するリンク部材５２を配置し、リンク部材５２の他端（連結部）１１５にノズル（ステアリングノズル）２３を接続したので、カム部材６３によってリンク部材５２を２段階に回動して、ノズル（ステアリングノズル）２３を「下中間」と「下最大」の２段階の角度で向けることができる。
【００４１】
図１０は、本発明のトリム調整装置のノズルを図８の下向きへ戻すときの作用図である。図４、図５を併用して説明する。
引き続き、図９のステアリングハンドル１５に配置したトリム操作レバー５６を握ると、レバー部材５１は第４歯部８４を押してカム部材６３を回転角度６０°回転させるので、図１０に示すように、カム部材６３で第５接触部９５までリンク部材５２が導かれて、押し引きケーブル３３を引き（矢印ｃ６の方向）、ノズル（ステアリングノズル）２３を「下中間」にする。その際、レバー部材５１の係合爪部材６６は第５歯部８５に当接し、逆転防止爪部材６８は第６歯部８６に当接する。
【００４２】
つまり、トリム操作レバー５６を握って離すと、ノズル（ステアリングノズル）２３を「下最大」から「下中間」にすることができる。
【００４３】
図１１は、本発明のトリム調整装置のノズルを図１０の下向きからストレートに作動させるときの作用図である。図４、図５を併用して説明する。
引き続き、図１０のステアリングハンドル１５に配置したトリム操作レバー５６を握ると、レバー部材５１は第５歯部８５を押してカム部材６３を回転角度６０°回転させるので、図１１に示すように、カム部材６３で第６接触部９６までリンク部材５２が導かれて、押し引きケーブル３３を引き（矢印ｃ６の方向）、ノズル（ステアリングノズル）２３を「ストレート」にする。その際、レバー部材５１の係合爪部材６６は第６歯部８６に当接し、逆転防止爪部材６８は第１歯部８１に当接する。
【００４４】
つまり、トリム操作レバー５６を握って離すと、ノズル（ステアリングノズル）２３を「下中間」から「ストレート」にすることができる。
【００４５】
引き続き、ステアリングハンドル１５に配置したトリム操作レバー５６を握ると、図６に示す通常時の「上」に戻る。
このように、トリム調整装置２４では、トリム調整する際の操作力を小さくすることができ、ノズル（ステアリングノズル）２３を下向きへ２段階の角度で向けることができる。
【００４６】
トリム調整装置２４では、ノズル駆動機構３２は、操作手段２７のトリム操作レバー５６にレバー部材５１を連結し、レバー部材５１に係合する係合部６７を備えたカム部材６３を回転自在に配置し、係合部６７に係合する逆転防止爪部材６８を配置し、カム部材６３に一端（接触端部）１１４が当接するリンク部材５２を配置し、リンク部材５２の他端（連結部）１１５にノズル（ステアリングノズル）２３を接続したので、電動機を用いる必要がなく、生産コストを削減することができる。
【００４７】
図３に示すように、トリム調整装置２４では、操作手段２７のトリム操作レバー５６を備えるので、条件によっては、既存のトリム操作レバーを流用することができる。
また、トリム調整装置２４では、操作手段２７のトリム操作レバー５６、レバー部材５１、カム部材６３及びリンク部材５２を備えるので、トリム操作レバー５６に接続するケーブルを引きケーブル３１の１本にすることができ、ケーブルを組付ける作業は容易になる。
【００４８】
尚、本発明の小型水上艇のトリム調整装置は、実施の形態では小型水上艇に採用したが、一般の水上艇に採用することも可能である。
【産業上の利用可能性】
【００４９】
本発明の小型水上艇のトリム調整装置は、小型水上艇に好適である。
【図面の簡単な説明】
【００５０】
【図１】本発明のトリム調整装置を採用した小型水上艇の側面図
【図２】本発明のトリム調整装置が備えるステアリングノズルの断面及びノズル駆動機構の内部を示す図
【図３】本発明のトリム調整装置に採用した操作手段の斜視図
【図４】本発明のトリム調整装置に採用したノズル駆動機構の斜視図
【図５】本発明のトリム調整装置に採用したノズル駆動機構の分解図
【図６】本発明のトリム調整装置のノズルを上向きへ作動させるときの作用図
【図７】本発明のトリム調整装置のノズルを上向きからジェット推進機に平行なストレートにするときの作用図
【図８】本発明のトリム調整装置のノズルを図７のストレートから下向きへ作動させるときの作用図
【図９】本発明のトリム調整装置のノズルを図８よりさらに下向きへ向けるときの作用図
【図１０】本発明のトリム調整装置のノズルを図８の下向きへ戻すときの作用図
【図１１】本発明のトリム調整装置のノズルを図１０の下向きからストレートに作動させるときの作用図
【符号の説明】
【００５１】
１１…小型水上艇、１２…艇体、１５…ハンドル（ステアリングハンドル）、２２…ジェット推進機、２３…ノズル（ステアリングノズル）、２４…トリム調整装置、２７…操作手段、３２…ノズル駆動機構、５１…レバー部材、５２…リンク部材、５６…トリム操作レバー、６３…カム部材、６７…係合部、６８…逆転防止爪部材、７７…カム本体（溝カム本体）、９１…上接触部、９３〜９５…下接触部、９２，９６…ストレート接触部、１１４…カム部材の一端（接触端部）、１１５…リンク部材の他端（連結部）。
【図１】
2006281897.tif 000003
【図２】
2006281897.tif 000004
【図３】
2006281897.tif 000005
【図４】
2006281897.tif 000006
【図５】
2006281897.tif 000007
【図６】
2006281897.tif 000008
【図７】
2006281897.tif 000009
【図８】
2006281897.tif 000010
【図９】
2006281897.tif 000011
【図１０】
2006281897.tif 000012
【図１１】
2006281897.tif 000013